(57)【要約】【課題】簡略な構成からなり、製造コストが安い、おう吐物回収袋を提供する。【解決手段】おう吐物回収袋１は、不織布によって封筒形に形成された袋状本体部２と、袋状本体部２の内面に重合させて設けられたビニール製の防水袋部３と、袋状本体部２の一対のフラップ４，４の内面に取り付けられた両面テープ５，５と、防水袋部３の上端３Ａとフラップ４，４との間に設けられた通気部６とを備えている。使用前の状態では、おう吐物回収袋１は厚さ２ｍｍ程度の扁平な状態となっている。使用する際には、一対のフラップ４，４の両面テープ５の剥離紙を剥がしてから、一対のフラップ４，４を介して開口部２Ａを広げて人の口に被せるとともに、両面テープ５，５を顔に貼り付ける（図３参照）。この使用状態においても、不織布からなる通気部６を介して人が無理なく呼吸をすることができる。【選択図】  図１
2020124283.tif 000002
【特許請求の範囲】
【請求項１】
上部に開口部を有し、かつ袋状に形成された袋状本体部と、防水性の材料からなり、上記袋状本体部の内面又は外面の少なくとも一方に重合して設けられた袋状の防水袋部と、上記袋状本体部における上記開口部に設けられて、接着手段を介して人の顔に接着される装着部と、上記袋状本体部における上記装着部と上記防水袋部の上端との間に設けられて、袋状本体部の内外の通気を許容する通気部を備えることを特徴とするおう吐物回収袋。
【請求項２】
上記袋状本体部は不織布からなり、かつ全体として封筒形となっており、また、袋状本体部の上部の開口部から連続して上記装着部としての一対のフラップが設けられており、該一対のフラップに接着手段としての両面テープが取り付けられており、さらに、上記防水袋部は、袋状本体部の内面に設けられており、上記通気部は、防水袋部の上端部と上記フラップとの間に設けられており、
人の顔の口をフラップで囲繞した状態で両面テープによりフラップを顔に貼り付けて装着されることを特徴とする請求項１に記載のおう吐物回収袋。
【発明の詳細な説明】
【技術分野】
【０００１】
本発明はおう吐物回収袋に関し、例えば処置中の患者の口を覆った状態で顔に装着されて、患者がおう吐した際のおう吐物を回収するためのおう吐物回収袋に関する。
【背景技術】
【０００２】
従来、人の口と鼻を覆って顔に装着されて、人がおう吐した際におう吐物を回収するおう吐物回収袋が提案されている（例えば特許文献１〜特許文献３）。
このような従来のおう吐物回収袋は、おう吐物を収容する袋状の収容部と、収容部の上端から連続して設けられて人の顔に装着される装着部と、装着部の装着状態を維持する紐部とを備えている。
【先行技術文献】
【特許文献】
【０００３】
【特許文献１】登録実用新案公報第３０１９２１７号
【特許文献２】特開２０１６−８７３８２号公報
【特許文献３】特開２０１１−８３３１７号公報
【発明の概要】
【発明が解決しようとする課題】
【０００４】
ところで、上述した従来のおう吐物回収袋は、構成や形状が複雑であるために、材料の歩留まりが悪くなり、製造コストが高いという欠点があった。
【課題を解決するための手段】
【０００５】
上述した事情に鑑み、本発明は、上部に開口部を有し、かつ袋状に形成された袋状本体部と、防水性の材料からなり、上記袋状本体部の内面又は外面の少なくとも一方に重合して設けられた袋状の防水袋部と、上記袋状本体部における上記開口部に設けられて、接着手段を介して人の顔に接着される装着部と、上記袋状本体部における上記装着部と上記防水袋部の上端との間に設けられて、袋状本体部の内外の通気を許容する通気部を備えることを特徴とするものである。
【発明の効果】
【０００６】
このような構成によれば、構成が簡略であるために材料の歩留まりが良くなり、製造コストが安く、かつ、装着しやすいおう吐物回収袋を提供することができる。
【図面の簡単な説明】
【０００７】
【図１】本発明の一実施例を示す正面図。
【図２】図１のＩＩ―ＩＩ線に沿う断面図。
【図３】図１のおう吐物回収袋の使用状態を示す図。
【発明を実施するための形態】
【０００８】
以下、図示実施例について本発明を説明すると、図１ないし図２において、１は全体として封筒形に形成されたおう吐物回収袋である。おう吐物回収袋１は、長方形の封筒形に形成された袋状本体部２と、袋状本体部２の内面のほとんどの領域に重合して設けられたビニール製の防水袋部３と、袋状本体部２に形成されて、その開口部２Ａ（上端部）から連続して上方側へ延びる一対のフラップ４，４と、このフラップ４，４の相互に対向する内面に貼り付けられた両面テープ５，５と、フラップ４，４と防水袋部３の上端３Ａ，３Ａとの間に設けられた通気部６とを備えている。
【０００９】
袋状本体部２は、底２Ｂと両方の脇部２Ｃが閉鎖されており、上端の開口部２Ａの縁から連続して一対のフラップ４，４が形成されている。フラップ４，４の基部となる開口部２Ａの縁は、直線状の折り癖がつけてあり、その部分でフラップ４，４は内外に向けて容易に変形しやすくなっている。
袋状本体部２は、合成樹脂を材料とした不織布からなり、全体として縦長の長方形状に形成されている。そのため、袋状本体部２自体は、その全域において内外が通気可能となり、通気性を備えている。
袋状本体部２の内面における底２Ｂの位置から開口部２Ａの少し下方の位置まで、袋状をした防水袋部３が重合させて配置されている。防水袋部３は、防水性を有する薄いビニールからなり、長方形の袋状をしたこの防水袋部３の底３Ｂと両方の脇部３Ｃ，３Ｃは、それらの箇所に対応する袋状本体部２の底２Ｂ及び両方の脇部２Ｃと一体に溶着されて気密が保持されている。また、防水袋部３における上端３Ａの開口部よりも少し下方側の箇所３Ｄは、その部分に重合する袋状本体部２の内面に直線状に溶着されている。このように、本実施例においては、袋状本体部２の内面の略全域に近い領域に、防水性を備えた防水袋部３を重合させて配置している。それにより、おう吐物回収袋１を使用する際に、一対のフラップ４，４を左右の手でつまんで袋状本体部２の開口部２Ａを広げると、防水袋部３の上端３Ａの開口部が開くようになっている。
【００１０】
装着部としてのフラップ４，４における対向面（内面）には、略全域にわたって両面テープ５，５の内面が貼り付けられており、各両面テープ５の外面には剥離紙５Ａが付されている。
おう吐物回収袋１を使用する際には、使用する人が一対のフラップ４，４の両面テープ５，５の剥離紙５Ａ，５Ａを剥がしてから、フラップ４，４の中央部の縁を手でつまんで左右に押し広げることで開口部２Ａ、フラップ４，４を楕円状に開口させ、そこに人の口をあてがってから両面テープ５，５を顔（口のまわり）に貼り付ける。それによって、紐を用いることなく、おう吐物回収袋１が顔に装着されるようになっている（図３参照）。このように、本実施例では、フラップ４，４が顔に装着される装着部となっており、両面テープ５，５が顔にフラップ４，４を装着するための接着手段となっている。
【００１１】
防水袋部３の上端３Ａは、袋状本体部２の上端の開口部２Ａ（フラップ４の基部）よりも２ｃｍ程度、下方側に位置させてあり、それによって、上端３Ａと開口部２Ａ（フラップ４の基部）の間と袋状本体部２の箇所には、防水袋部３が重合しない通気部６が形成されている。この通気部６が設けられた箇所は防水袋部３によって被覆されないので、通気部６を介して袋状本体部２の内外が通気可能となっている。そのため、図３に示したように、おう吐物回収袋１を人の顔に装着した際においても、使用する人は通気部６を介して容易に呼吸できるようになっている。
【００１２】
本実施例のおう吐物回収袋１は紐等が付属していないので、使用する前の状態では、厚さ２ｍｍ程度の扁平な長方形状となり、嵩張りが少なくなっている。したがって、本実施例のおう吐物回収袋１は、多数枚を重ねた状態での箱への収納や取り出しが容易であり、保管スペースも小さく済むようになっている。
おう吐物回収袋１を使用する際には、前述したように、両面テープ５，５の剥離紙５Ａ，５Ａを剥がしてから、装着部としてのフラップ４，４を上下に広げて開口部２Ａを略楕円状とし、そこに口をいれてから両面テープ５，５を顔に貼り付ければ良い。このように、本実施例では、紐などを用いることなく、両面テープ５，５によっておう吐物回収袋１全体を顔に装着できるので、装着が容易である。
そして、装着後の使用状態では、両面テープ５，５が口を囲繞して顔に接着されているが、フラップ４，４の隣接位置に通気部６，６が設けられているので、使用する人は通気部６を介して無理なく呼吸をすることができる（図３参照）。
そして、おう吐物回収袋１を顔に装着した状態で、使用している人がおう吐した場合には、そのおう吐物は開口部２Ａから防水袋部３内に収容されるようになっている。なお、おう吐物が防水袋部３内に回収されても、装着部としてのフラップ４，４は両面テープ５，５により顔に貼り付いたままとなっているので、おう吐物の重量によってフラップ４，４が顔からはずれることはない。防水袋部３は防水性のビニールからなり、袋状本体部２の内面の略全域に近い位置に重合して配置されているので、防水袋部３内のおう吐物が袋状本体部２に漏れることはない。
さらに、使用後におう吐物回収袋１を顔から外す際には、装着部としてのフラップ４を両面テープ５，５に接着力に抗してひき剥がせば良い。そしてその後、一対のフラップ４，４の両面テープ５，５を相互に接着させることで、開口の略全域を閉鎖することができ、その状態においておう吐物回収袋１を廃棄すれば良い。
【００１３】
以上のように、本実施例のおう吐物回収袋１は、従来のものとは異なり、紐部を備えておらず、全体として長方形の封筒形となっている。そして、使用する際には装着部としてのフラップ４，４を上下に開いてから両面テープ５，５によってフラップ４，４を人の顔に貼り付ければよい。
本実施例のおう吐物回収袋１は、構成が簡略であるため、これを製造する際の材料の歩留まりが良好である。そのため、製造コストが安く、かつ、装着及び取り外しが容易なおう吐物回収袋１を提供できる。また、おう吐物回収袋１は、使用状態においても、通気部６を介して使用する人が無理なく呼吸することができるので、装着時の違和感を減少させることができる。
【００１４】
なお、上記実施例においては、袋状本体部２の内側（内面）に防水袋部３を重合させて設けているが、袋状本体部２の外側（外面）に防水袋部３を重合させて設けても良い。
また、通気部６，６は、一方のフラップ４の隣接位置だけに設けても良い。つまり、この場合は、他方のフラップ４の基部の位置まで、防水袋部３の上端３Ａが伸びた構成であっても良い。
また、通気部６，６としては、つぎのような構成であってもよい。すなわち、袋状本体部３の内面の全域に防水袋部３を重合させて設けて、つまり、図１における通気部６，６の領域も防水袋部３ですべて覆って、該覆った通気部６，６の領域に複数のパンチ穴を形成するようにしても良い。
また、上記実施例においては、おう吐物回収袋１を長方形の封筒形に形成しているが、全体として台形状やフラスコ状に形成しても良い。
さらに、上記実施例においては、装着部としてのフラップ４，４によって口を取り囲んで両面テープで顔に接着しているが、フラップ４，４によって口と鼻の両方を覆うようにしても良い。
【符号の説明】
【００１５】
１‥おう吐物回収袋                  ２‥袋状本体部
２Ａ‥開口部                        ３‥防水袋部
４，４‥フラップ（装着部）          ５，５‥両面テープ（接着手段）
６‥通気部
【図１】
2020124283.tif 000003
【図２】
2020124283.tif 000004
【図３】
2020124283.tif 000005